(57)【特許請求の範囲】
【請求項１】
機器本体に形成した電池ケース収納部の開口部分と電池ケースの蓋体の周辺部分に嵌め合わせ構造を構成し、該電池ケースに備えられた電池取り付け部は上記蓋体と一体的に固定された中心筒部を有する電池ケース上と該中心筒部の先端部に固定された電池端部収納部を有する電池ケース下とからなり、上記蓋体に一方の電池端子を形成するとともに上記電池端部収納部に他方の電池端子を形成し、上記電池ケース下の外側に上記電池端子に接続されたプラス側電池端子とマイナス側電池端子を形成し、上記嵌め合わせ構造が嵌め合わせられたとき、上記電池ケース収納部に上記プラス側電池端子とマイナス側電池端子におのおの接触するプラス側接続端子とマイナス側接続端子を形成したことを特徴とする電池ケース。
【請求項２】
上記嵌め合わせ構造は、上記開口部分に形成した雌ネジと、上記蓋体に形成した雄ネジにより構成され、上記プラス側接続端子とマイナス側接続端子の一方は上記電池ケース収納部の中心位置に形成され、他方は上記中心位置より離れた周囲に形成されていることを特徴とする電池ケース。
【請求項３】
メガホンボディー後部に形成した電池ケース収納部の開口部分に雌ネジを形成し、電池ケースの蓋体の周囲部分に雄ネジを構成し、該電池ケースを中心筒部と、電池端子を備える電池ケース上と、該電池ケース上に固定された電池端子を備える電池ケース下とから構成し、上記中心筒部の周囲に複数の電池を取り付けて、電池ケースを電池ケース収納部に挿入して上記雄ネジと雌ネジを嵌め合わせたとき、上記電池端子の一方に接続されたプラス側電池端子と電池端子の他方に接続されたマイナス側電池端子を、上記電池ケース収納部の底部に形成されたプラス側接続端子とマイナス側接続端子におのおの接触させて電池ケースを収納することを特徴とするメガホン。
【発明の詳細な説明】
【発明の属する技術分野】
本発明は、一次電池、いわゆる乾電池のように電子機器に収納あるいは取り外しをして交換を行うことができる電池ケースの構造に関し、特に電池の取り付け、取り外しを容易にする構造に特徴を有する。また、この電池ケースを用いたメガホンの構造に関する。
【従来の技術】
電子機器の電池ケースは、電子機器の内部に電池収納個所を設け、この電池収納個所の前面に開閉可能な蓋を設けて、蓋を開けることにより電池を交換する構造である。
例えば、メガホンの電源として使用される乾電池は、図７に示すような構造で交換を行う。メガホンは、大きく分けてホーンマウス部７１と、ハンドル７２と、メガホンボディー７３と、６個の乾電池を収納することができる電池ケース７４と、マイクカバー７５の５部分から構成される。電池ケース７４は中心筒部７６の一方端部に固定された電池端部支持部７７と、中心筒部７６の他方端部に固定された電池ケース下７８とからなり、電池端部支持部７７と電池ケース下７８にそれぞれ電池接続端子が形成されている。乾電池を交換する場合は、最初にマイクカバー７５を外して電池ケース７４より古い乾電池７９を取り外し、次に新しい乾電池８０を電池端部支持部７７と電池ケース下７８の間にそれぞれ乾電池のプラス端子及びマイナス端子を接触させながら嵌め込む。そしてマイクカバー７５を電池ケース７４の外側より被せてメガホンボディー７３のネジにねじ込み、マイクカバー７５を固定するとともに電池ケースの外側を覆うことにより乾電池をメガホン内部に収納する。このようにして、電池収納部の蓋を開けて古い電池を取り出し、新しい電池と交換することができる。
また、登録実用新案第３０１０３２９号は、図８に示すように機器本体８１の前面パネル８２の開口８３に着脱開閉式蓋体８４と電池咬着ケース８５とを一体に設けて、電池８６の交換の際には電池咬着ケースを蓋体の解放と同時に機器本体の外に取り出す構造を開示している。
【発明が解決しようとする課題】
上記したように従来の電子機器においては乾電池の交換は、電子機器の電池収納部の開口部より乾電池を取り外し、また乾電池を挿入する必要がある。ここで開口部は電池の脱落防止のため乾電池１個より少し大きい程度の大きさであり、開口部が小さいため電池の取り出し、収納が行いにくい。さらに乾電池を１個づつ決められた方向に合わせながら挿入するには相当の注意が必要であり、かつ面倒である。また上記メガホンの場合には、中心筒部の周囲に６個の電池を収納する構造であるから、電池を取り外し又は挿入するとき交換する電池が使用者の手前になるようメガホンを順次回転させる必要があり、電池交換に手間取る。
また、登録実用新案第３０１０３２９号は、電池咬着ケースを機器本体から取り出して電池交換するから電池交換は容易になるが、電池咬着ケースに咬着できる電池の数は電池間の電気接続のため２個に限定され、機器の電源設計を困難にする。また電池の端子と機器本体の電池端子の安定接続を維持するために、電池咬着ケースのストッパーが必要になり、ストッパーの機構、その操作が複雑になる。
本発明は上記したような問題点を解決して電池交換を容易にするものである。
【課題を解決するための手段】
本発明の請求項１記載の電池ケースは、機器本体に形成した電池ケース収納部の開口部分と電池ケースの蓋体の周辺部分に嵌め合わせ構造を構成し、該電池ケースに備えられた電池取り付け部は上記蓋体と一体的に固定された中心筒部を有する電池ケース上と該中心筒部の先端部に固定された電池端部収納部を有する電池ケース下とからなり、上記蓋体に一方の電池端子を形成するとともに上記電池端部収納部に他方の電池端子を形成し、上記電池ケース下の外側に上記電池端子に接続されたプラス側電池端子とマイナス側電池端子を形成し、上記嵌め合わせ構造が嵌め合わせられたとき、上記電池ケース収納部に上記プラス側電池端子とマイナス側電池端子におのおの接触するプラス側接続端子とマイナス側接続端子を形成したことを特徴とする。
請求項１の発明は、電池ケースに電池取り付け部を備え、この電池ケースを機器本体から取り外して電池交換を行うことができるので、電池を小さい開口部より抜き取ったり挿入したりすることがなく、交換作業を容易に行うことができる。また嵌め合わせ構造によって電池ケースと機器本体を固定するからストッパーを必要としないし、電池ケースに電池の両側端子に接触する電池端子を形成しているから電池の数に制限がない。さらに電池の両側を押さえるから電池を安定に固定することができ、振動、衝撃が加わっても電池と電池端子が断続しない。
本発明の請求項２記載の電池ケースは、上記嵌め合わせ構造が上記開口部分に形成した雌ネジと、上記蓋部分に形成した雄ネジにより構成され、上記プラス側接続端子とマイナス側接続端子の一方は上記電池ケース収納部の中心位置に形成され、他方は上記中心位置より離れた周囲に形成されていることを特徴とする。請求項２の発明は、嵌め合わせ構造をネジとし、プラス側接続端子とマイナス側接続端子の一方を電池ケースの中心位置に形成したので、嵌め合わせと電池の端子接続を同時に行うことができる。
本発明の請求項３記載のメガホンは、メガホンボディー後部に形成した電池ケース収納部の開口部分に雌ネジを形成し、電池ケースの蓋体の周囲部分に雄ネジを構成し、該電池ケースを中心筒部と、電池端子を備える電池ケース上と、該電池ケース上に固定された電池端子を備える電池ケース下とから構成し、上記中心筒部の周囲に複数の電池を取り付けて、電池ケースを電池ケース収納部に挿入して上記雄ネジと雌ネジを嵌め合わせたとき、上記電池端子の一方に接続されたプラス側電池端子と電池端子の他方に接続されたマイナス側電池端子を、上記電池ケース収納部の底部に形成されたプラス側接続端子とマイナス側接続端子におのおの接触させて電池ケースを収納することを特徴とする。
請求項３の発明は、メガホンより電池ケースを取り外して電池交換を行うことができるので、電池をメガホンから離れて交換することができ、かつ交換の際は電池ケースを回転させて電池を交換すればよく、交換作業を容易に行うことができる。また電池ケースは電池の両側を押さえるから電池を安全に固定することができ、振動、衝撃が加わっても電池と電池端子が断続しない。
【発明の実施の形態】
本発明の電池ケースは、機器本体に形成した電池ケース収納部の開口部分に嵌め合わせ用の一方の構成を形成し、電池ケースの蓋体の周辺部分に嵌め合わせ用の他方の構成を形成する。嵌め合わせ構造は電池ケースが円筒形の場合、代表的にはネジにより構成されるが、スライド溝によって構成することもできる。電池ケースが角筒型の場合はスライド溝による嵌め合わせ構造が一般的である。この電池ケースに備えられた電池取り付け部は上記蓋体と一体的に固定された中心筒部を有する電池ケース上とこの中心筒部の先端部に固定された電池端部収納部を有する電池ケース下とからなり、蓋体に一方の電池端子を形成するとともに電池端部収納部に他方の電池端子を形成し、この電池ケース下の外側に電池端子に接続されたプラス側電池端子とマイナス側電池端子を形成する。そして電池ケースが機器本体の電池ケース収納部に嵌め合わせられたとき、電池ケースのプラス側電池端子とマイナス側電池端子が機器本体の電池ケース収納部のプラス側接続端子とマイナス側接続端子におのおの接触する構成である。
このように本発明は、電池ケースを機器本体より取り外して電池交換することができ、電池ケースの嵌め合わせと同時に電池ケースのプラス側電池端子とマイナス側電池端子を機器本体の電池ケース収納部のプラス側接続端子とマイナス側接続端子におのおの接触させることができる。
（実施例）
本発明のメガホンは、図１に示すようにホーンマウス１と、メガホンボディー２と、ハンドル３を組み合わせて構成され、メガホンボディー２の後方部分に電池ケースを備えている。
図２に示すように、ホーンマウス１は、内部にリング状永久磁石１１、ヨーク１２、プレート１３よりなる磁気回路を収納し、ヨーク１２とプレート１３との間に形成される磁気ギャップにボイスコイルが挿入される。ボイスコイルの上端はドーム状振動板１４に結合され、ボイスコイルに入力された音声信号が磁気回路とともに作用して振動板１４の振動に変換される。振動板の前方にはイコライザ１５、スロート１６が備えられ、スロート１６の開口部分にレフレクタ１７、１８が取り付けられ、ホーンマウス１の先端開口部より音声が放出される。レフレクタ１８はホーンマウス１にネジ１９によりネジ止めされるとともに、ネジ１９をメガホンボディー２のボス２０に締めこむことにより、ホーンマウス１とメガホンボディー２を結合している。このホーンマウスとメガホンボディーを結合する際、図４に示すようにホーンマウスの内側にスロートパッキング６を嵌め、外側にゴム、柔軟性樹脂よりなる防水パッキング７を介して取り付け、ホーンマウス１とメガホンボディー２の間隙を充填して気密及び防水構造にしている。
図４に示すように、メガホンボディー２の内部上方の後方部にマイクユニット２１を配置する。マイクユニット２１はメインマイク２２とサブマイク２３からなり、メインマイクとサブマイクは緩衝作用と防水作用のある例えばゴム等の薄い膜２２ａ、２３ａを介して、マイクおさえ２４に収納されメガホンボディー後方のリブ２５に嵌め込むようにしてメガホンの水平方向に並べて取り付ける。メインマイク２２はメガホンの中心線を通る垂直線上に配置され、メインマイク前方のメガホンボディーに小さい開口２６が形成されて外部の音響を入力する。メインマイク２２はゴム等の薄い膜２２ａで覆われ防水効果を得ているが、開口２６に対応して開口２２ｂが形成されており、音響が十分に入力される。さらにゴム等の薄い膜は緩衝作用があるためメガホン本体の振動が入力されるのを防止し、Ｓ／Ｎの高い入力信号を得ることができる。
サブマイク２３はメガホンのハウリング防止用として用いられる。そのためサブマイク前方のメガホンボディーには開口が形成されず外部の音響が入力されない構造とされている。このためサブマイクの前方に開口がなく防水は完全に行なえる。メガホンはメガホン本体より出た音がメガホンの周囲を回りこんでマイクに入力する音響振動と、振動板のバックプレッシャがメガホン内部を伝わってマイクに入力する音響振動と、メガホン本体自身の振動がマイクに入力する振動によってハウリングを起こす。この中、サブマイクはスピーカ振動板のバックプレッシャがメガホン内部の細い隙間を伝わって入力する振動と、メガホン本体自身の振動がマイクに入力する振動をメインマイクと同相に受ける。これを電気信号に変換してメインマイクからの電気信号と逆位相で増幅器に入力してミキシングすることによりハウリング防止を行なう。
メガホンボディー後方上部に１０Ｗ級アンプを構成するＬＳＩ、ＩＣ、抵抗、コンデンサ等の電気部品よりなる回路２７を搭載するプリント配線基板２８を取り付ける。プリント配線基板２８はメガホンボディー後方のリブと基板おさえ２９に挟むようにして取り付けられる。基板おさえ２９には導電性でバネ性のある材料、例えばリン青銅板よりなるプラス側接続端子３０とマイナス側接続端子３１が備えられ、電池ケース収納後壁３５ｂにネジ止めされる。メガホンボディーの下部にハンドルに取り付けられる電源スイッチ、ボリュームと接続するための接続線を通す穴３２が形成されゴムブッシュが嵌められる。
メガホンボディー２の中央部にメガホンの軸方向に電池ケース収納部３５を形成する。この電池ケース収納部３５はメガホンボディーと連続的に一体形成された円筒形状の電池収納側壁３５ａと底板を形成する電池収納後壁３５ｂとからなる。電池収納後壁３５ｂに小さい開口が形成され、プラス側接続端子３０とマイナス側接続端子３１の先端が開口より臨出している。プラス側接続端子３０が電池ケース収納部の中心に配置され、マイナス側接続端子３１が中心位置より離れて平行に配置されている。この電池収納部３５の前方開口部分に雌ネジ３６を形成し嵌め合わせ構造の一方を構成する。
電池ケース４は、図５に示すように、前記電池収納部３５の蓋となる蓋体４１の周辺部分に雄ネジ４２を有し、上記電池ケース収納部の開口部分に形成した雌ネジ３６と嵌め合わせられる。蓋体の表面側に、Ａ視に示すように中心より三方向に分割した指穴４１ａが形成され、雄ネジと雌ネジの嵌め合わせあるいは取り外しのために使用される。電池ケースは蓋体４１、電池ケース上４３、電池ケース下４４から構成され、電池ケース上４３は中心筒部４３ａとこの中心筒部の一方の端部に形成された電池端子部４３ｂとからなり、電池端子部４３ｂに一方の電池端子が備えられる。蓋体４１と電池ケース上４３は６個のネジ４３ｃにより一体的に組み立てられる。ねじ４３ｃは、電池ケース下４４に形成したドライバー穴４４ｃにドライバーを挿入して、ネジ４３ｃを締め付けることにより組み立てる。電池ケース下４４にドライバー穴４４ｃを形成したので、ネジ４３ｃが電池ケース下４４の半径より内側にあっても容易に締め付けあるいは取り外しを行なうことができる。
電池ケース下４４は電池収納時の倒れ止め用として、電池長の１／５程度の電池収納壁４４ａを備え、中心筒部４３ａの他方の端部にＦ視に明らかなように６個のネジ４９によりネジ止めされ、他方の電池端子が備えられる。電池端子板４５は導電性の高い金属材料よりなり、一つの電池のプラス電極と隣接する次の電池のマイナス電極を接続するため途中個所でねじられ、中心筒部４３ａの中空を通して配置される。電池端子板４５の一方は電池端子部４３ｂに巻き付けるようにして固定され、電池端子を構成する。電池端子板４５の他方は中心筒部４３ａと電池ケース下４４の中心突部４４ｂに挟まれて固定され、その先端は電池のマイナス電極に接触するように折り曲げられ電池端子を構成する。電池端子板４５が隣接する電池のプラス電極とマイナス電極を接続することにより電池ケースに挿入される６個の電池は全て同方向に挿入して直列接続される。直列接続されたマイナス側の端子はコード穴４４ｄにリード線を通して金属材料よりなるリング状の電源端子４６にはんだ付けして接続する。プラス側の端子は１つの電池端子板４５を中心突部４４ｂの一部切り欠きを通して中心近くまで延長して端子ネジ４８に接続する。電源端子４５と端子ネジ４８はリング状の絶縁ブッシュ４７を間に挿入することにより絶縁される。端子ネジ４８は電池ケース下４４に圧入されて固定される。従って、図５のＦ視より明らかなように電源端子４６と端子ネジ４８は、前記プラス側接続端子３０とマイナス側接続端子３１の間隔に等しい距離を隔てて同心円状に配置される。
図６に示すように、ハンドル３の前方に引きがね５１が取り付けられる。電源スイッチはマイクロスイッチ５２により構成され、ＶＲＳＷケース上５３のリブ５３ｓに嵌め込むようにして取り付けられる。ボリューム５４はＶＲＳＷケース上５３を挟むようにしてＶＲナット５５により取り付けられる。このようにしてマイクロスイッチとボリュームを取り付けた後、ゴムカバー５６を挟んでＶＲＳＷケース下５７とともにハンドルの段部にネジ止めされる。ボリュームの軸にはつまみ５８が取り付けられ、つまみの周囲の一部がハンドル後方の穴から突出して操作できるようにしている。引きがね５１をハンドル３に取付け、ＶＲＳＷケース上５３にマイクロスイッチ５２、ボリューム５４を取付け、つまみ５８を取付けた後、つまみ５８の一部をハンドル後方の穴から突出させてゴムカバー５６、ＶＲＳＷケース下５７とともにハンドルの段部にネジ止めする訳であるが、ＶＲＳＷケース上５３の４個のネジ穴５３ａ〜５３ｄの中、２個のネジ穴５３ｃ、５３ｄはつまみ５８の半径の内側にあるので、つまみ５８がネジ穴に一致する位置に切り欠き又は一部穴（図示しない）を形成し、この切り欠きにドライバーを挿入してネジ止めを行なう。マイクロスイッチとボリュームの配線はメガホンボディーの穴３２を通して回路２７に接続される。図３に示すように、ハンドルの上方両側にスライド溝５９が形成されており、このスライド溝５９にメガホンボディー２の下部に形成した突部３３（図４の上方右側に示す）をはめ、ハンドルをメガホンボディーの後方までスライドさせてメガホンボディーとハンドルを一体化する。その後、メガホンボディー前方にホーンマウス１をネジ１９でネジ止めして取り付けることにより、ハンドルの抜け止めをすると同時に全体を一体化し防水構造に組み立てる。
本発明のメガホンは以上のように構成されるから、電池交換をする場合は最初に蓋体４１の３つの指穴４１ａにそれぞれ親指、人差し指、中指の３本を入れて回転させ電池ケース４をメガホンボディー２から取り外す。そして古い電池を取り去り新しい電池６０を電池ケースの周囲に６個同方向に並べて挿入する。次に電池ケース４をメガホンの電池ケース収納部３５に挿入して指穴に指を入れて電池ケースを回転させることにより、雄ネジと雌ネジを嵌め合わせて交換を行なう。これによって電池ケースのプラス側電池端子が接続された端子ネジ４８とマイナス側電池端子が接続された電源端子４６を、電池ケース収納部３５の電池収納後壁の開口より臨出したプラス側接続端子３０とマイナス側接続端子３１におのおの接触させる。
【発明の効果】
本発明は、電池ケースに電池取り付け部を備え、この電池ケースを機器本体から取り外して電池交換を行うことができるので、電池を小さい開口部より抜き取ったり挿入したりすることがなく、交換作業を容易に行うことができる。また嵌め合わせ構造によって電池ケースと機器本体を固定するからストッパーを必要としないし、電池ケースに電池の両側端子に接触する電池端子を形成しているから電池の数に制限がない。さらに電池の両側を押さえるから電池を安定して固定することができ、振動、衝撃が加わっても電池と電池端子が断続しない。
また本発明では、嵌め合わせ構造をネジとし、プラス側電池端子とマイナス側電池端子の一方を電池ケースの中心位置に形成したので、嵌め合わせと電池の端子接続を同時に行うことができる。
更に本発明は、メガホンより電池ケースを取り外して電池交換を行うことができるので、電池をメガホンから離れて交換することができ、かつ交換の際は電池ケースを回転させて電池を交換すればよく、交換作業を容易に行うことができる。また電池ケースは電池の両側を押さえるから電池を安全に固定することができ、振動、衝撃が加わっても電池と電池端子が断続しない。
【図面の簡単な説明】
【図１】本発明のメガホンの外観を示す斜視図を示す。
【図２】本発明の実施例に示すメガホンの断面図を示す。
【図３】メガホンの後面図を示す。
【図４】ホーンマウスおよびメガホンボディーの分解断面図を示す。
【図５】本発明を構成する電池ケースの分解断面図を示す。
【図６】ハンドル部分の分解断面図を示す。
【図７】従来のメガホンの電池交換を説明する図である。
【図８】従来の機器における電池交換を説明する図である。
【符号の説明】
１      ホーンマウス
２      メガホンボディー
３      ハンドル
４      電池ケース
１１    永久磁石
２１    マイクユニット
２２    メインマイク
２３    サブマイク
２８    プリント配線基板
３０    プラス側接続端子
３１    マイナス側接続端子
３３    突部
３５    電池ケース収納部
３６    雌ネジ
４１    蓋体
４３    電池ケース上
４４    電池ケース下
４３ａ  中心筒部
４３ｂ  電池端子部
４５    電池端子板
４６    電源端子
４８    端子ネジ
５１    引きがね
５２    マイクロスイッチ
５４    ボリュウーム
５８    つまみ
５９    スライド溝
【図１】
0003659381.tif 000002
【図２】
0003659381.tif 000003
【図３】
0003659381.tif 000004
【図４】
0003659381.tif 000005
【図５】
0003659381.tif 000006
【図６】
0003659381.tif 000007
【図７】
0003659381.tif 000008
【図８】
0003659381.tif 000009